(57)【要約】【課題】簡易な構造でフローはんだ付けにおけるはんだ付け性を向上させることができる搬送用治具を提供する。【解決手段】パレット２の対向する各辺に沿って並んで配置されてパレット２の辺の周縁部をそれぞれ保持する保持ブロック３ａ，３ａと、パレット２の対向する辺ごとに保持ブロック３ａを連結する梁状部材４ａ，４ａと、対向する梁状部材４ａ，４ａの各端部を連結してパレット２を囲む枠体の外形を平面形状に規制する外形規制板４ｂ，４ｂとを備え、保持ブロック３ａ，３ａが、パレット２の基板面に垂直な方向に並んで形成され、それぞれにパレット２の辺の周縁部が嵌合されて当該パレット２を保持することができる保持溝３ａ−１〜３ａ−３と、保持溝３ａ−１〜３ａ−３とは反対側に突設された搬送帯取り付け用の突出部３ａ−４とを備える。【選択図】図１
2015037093.tif 000002
【特許請求の範囲】
【請求項１】
基板が取り付けられたパレットを搬送するための搬送用治具であって、
前記パレットの対向する各辺に沿って並んで配置されて前記パレットを保持する複数の保持ブロック部と、
前記パレットの対向する辺ごとに前記複数の保持ブロック部を連結する梁状部材と、
対向する前記梁状部材の各端部を連結して前記パレットを囲む枠体の外形を平面形状に規制する外形規制板とを備え、
前記複数の保持ブロック部は、
前記パレットの基板面に垂直な方向に並んで形成され、前記パレットの辺の周縁部が嵌合されて当該パレットを保持することができる複数の保持溝と、
前記複数の保持溝とは反対側に突設された搬送帯取り付け用の突出部とを備えることを特徴とする搬送用治具。
【請求項２】
前記保持溝は、溝開口から溝底部に向けて徐々に広がった形状であることを特徴とする請求項１記載の搬送用治具。
【発明の詳細な説明】
【技術分野】
【０００１】
この発明は、フローはんだ付けで基板の搬送に使用される搬送用治具に関する。
【背景技術】
【０００２】
従来から、フローはんだ付けにおいて、噴流はんだに接触させた基板を傾斜させながら上昇するように搬送して噴流はんだを離脱させるピールバック（傾斜離脱）が行われている。この基板を上昇させる傾斜角度によって、噴流はんだが基板から離脱する、いわゆる“はんだ切れ”の良し悪しが決定される。
【０００３】
また、“はんだ切れ”を適切に制御しないと、基板のはんだ付け領域に噴流はんだが接触している時間が短くなり、必要な熱量が得られずに十分なはんだ付けができない。
反対に、基板のはんだ付け領域に噴流はんだが接触している時間が長くなり過ぎると、過度な熱量がかかって電子部品の熱破壊や耐熱保証限度を超えてしまい、はんだブリッジなどのはんだ付け不良が発生しやすくなる。
【０００４】
ピールバックにおける傾斜角度を制御する従来の技術としては、例えば、特許文献１に開示される基板搬送用パレットがある。この基板搬送用パレットには、はんだ付け領域を露出させて基板を保持する内部パレットと、内部パレットを軸支し、この内部パレットを所定の傾斜角度の状態に固定する台座部が設けられた固定枠本体とが備えられている。
すなわち、固定枠本体に設けた軸を中心にして内部パレットを所定の傾斜角度だけ回転させて台座ブロックで固定することにより、ピールバックの角度を制御している。
【先行技術文献】
【特許文献】
【０００５】
【特許文献１】特開２０１０−２２５９８８号公報
【発明の概要】
【発明が解決しようとする課題】
【０００６】
特許文献１に代表される従来の技術は、固定枠本体の開口部に内部パレットを軸支しているため、軸を中心とした回転により内部パレットを傾斜させると、固定枠本体の開口部が露出する。このため、固定枠本体の上面側や基板の実装面側に噴流はんだが侵入する、いわゆる“はんだかぶり”が発生しやすいという課題があった。
【０００７】
また、特許文献１では、傾斜させた内部パレットを台座ブロックで固定する構造であるため、固定枠本体内に台座ブロックを配置する領域が必要となり、その分だけ基板搬送用パレット全体のサイズが大きくなる。このようにパレット全体の小型化が制限される構造であるという課題があった。
【０００８】
さらに、特許文献１の基板搬送用パレットは、軸を中心とした回転方向（例えば、搬送方向）にしか内部パレットを傾斜させることができない。このため、例えば、パレットの搬送方向に直交する方向に配置されたリード端子はいずれも同じ方向に傾斜していることから、ピールバックポイント（はんだ離脱ポイント）が同様の位置になる。
しかしながら、基板における電子部品の配置やリード端子の構造などによっては、搬送方向以外に傾斜していた方がはんだ切れがよい場合がある。
従って、搬送方向以外にも基板を傾斜させることができない場合、噴流はんだに対する各リード端子のピールバックポイントをずらすことができず、はんだ付け性を向上させることができない。
【０００９】
この発明は、上記のような課題を解決するためになされたもので、簡易な構造でフローはんだ付けにおけるはんだ付け性を向上させることができる搬送用治具を得ることを目的とする。
【課題を解決するための手段】
【００１０】
この発明に係る搬送用治具は、基板が取り付けられたパレットを搬送するための搬送用治具であって、パレットの対向する各辺に沿って並んで配置されて、パレットの辺の周縁部をそれぞれ保持する複数の保持ブロック部と、パレットの対向する辺ごとに複数の保持ブロック部を連結する梁状部材と、対向する梁状部材の各端部を連結してパレットを囲む枠体の外形を平面形状に規制する外形規制板とを備え、複数の保持ブロック部は、パレットの基板面に垂直な方向に並んで形成され、パレットの辺の周縁部が嵌合されて当該パレットを保持することができる複数の保持溝と、複数の保持溝とは反対側に突設された搬送帯取り付け用の突出部とを備えることを特徴とする。
【発明の効果】
【００１１】
この発明によれば、簡易な構造でフローはんだ付けにおけるはんだ付け性を向上させることができるという効果がある。
【図面の簡単な説明】
【００１２】
【図１】この発明の実施の形態１に係る搬送用治具を示す図である。
【図２】実施の形態１における保持ブロックを示す斜視図である。
【図３】実施の形態１に係る搬送用治具における基板の傾斜態様を示す図である。
【発明を実施するための形態】
【００１３】
実施の形態１．
フローはんだ付け装置では、基板を取り付けたパレットが噴流はんだへ搬送され、基板に配置した電子部品の端子が噴流はんだに浸漬されてはんだ付けが行われる。
このとき、噴流はんだが基板のはんだ付け領域を濡らし、搬送が進んで、噴流はんだがはんだ付け領域から離れる部分（ピールバックポイント）が形成される。
この発明では、基板を搬送方向以外の様々な方向に傾斜させてはんだ付け箇所に応じてピールバックポイントをずらすことにより、はんだ付け性の向上を図っている。
【００１４】
図１は、この発明の実施の形態１に係る搬送用治具を示す図であり、図１（ａ）は上面図であり、図１（ｂ）は図１（ａ）のａ方向の矢示図である。また、図２は、実施の形態１における保持ブロックを示す斜視図である。なお、図１（ｂ）は、搬送用治具１に保持されたパレット２を視認できるように、手前側の外形規制板４ｂの記載を省略している。
実施の形態１に係る搬送用治具１は、図１（ａ）に示すように、基板（不図示）が取り付けられたパレット２を保持してフォローはんだ付け装置内に搬送する治具であり、保持ブロック３ａ、梁状部材４ａおよび外形規制板４ｂを備えて構成される。
【００１５】
保持ブロック３ａは、パレット２の対向する各辺に沿って並んで配置されてパレット２をそれぞれ保持するブロック部材である。図１（ａ）の例では、搬送方向に直交する方向に対向した各辺に保持ブロック３ａが３個ずつ配置されている。
また、保持ブロック３ａの各々には、図２に示すように、保持溝３ａ−１〜３ａ−３と突出部３ａ−４が形成されている。
【００１６】
保持溝３ａ−１〜３ａ−３の各々は、図１（ｂ）に示すように、パレット２の辺の周縁部が嵌合されてパレット２を保持することができる。
また、保持溝３ａ−１〜３ａ−３は、パレット２の基板面に垂直な方向に並んで形成されていることから、図１（ｂ）に示すように、パレット２の辺の周縁部を嵌合させる保持溝を前後左右に変えることにより、パレット２に取り付けられた基板を様々な方向に傾斜させることができる。
【００１７】
さらに、保持溝３ａ−１〜３ａ−３は、図２に示すように、溝開口から溝底部に向けて徐々に広がった形状である。このように構成することで、溝開口でパレット２の辺の周縁部が的確に保持される。また、溝底部が溝開口よりも広がった形状であると、パレット２を傾斜させて保持させたときに発生する応力で、パレット２の辺の周縁部が溝内で動き、溝開口からずれた位置で溝底部に当接する。これにより、パレット２を傾斜させたときの応力が緩和される。
【００１８】
突出部３ａ−４は、保持ブロック３ａにおいて、保持溝３ａ−１〜３ａ−３とは反対側に突設された搬送帯取り付け用の突出部である。すなわち、図１（ａ）および図１（ｂ）に示すように、保持ブロック３ａの突出部３ａ−４は、搬送帯であるフローはんだ付け装置のコンベア５に取り付けられる。これにより、搬送用治具１はコンベア５を介して搬送される。
【００１９】
梁状部材４ａは、パレット２の対向する辺ごとに保持ブロック部３ａを連結する長板状のブロック部材である。すなわち、図１（ａ）に示すように、梁状部材４ａをパレット２の辺に沿って渡して保持ブロック３ａをそれぞれ連結する。保持ブロック３ａの連結は、例えば、図２に示すように、保持ブロック３ａのねじ穴３ａ−５を形成した面に梁状部材４ａを当接させてねじ締結する。
【００２０】
外形規制板４ｂは、図１（ａ）および図１（ｂ）に示すように、パレット２の対向する辺ごとに設けられた梁状部材４ａ，４ａの各端部を連結する板状のブロック部材である。
例えば、矩形のブロック部材の両端に梁状部材４ａ，４ａをそれぞれ挿通させる貫通孔を形成しておく。梁状部材４ａ，４ａを、外形規制板４ｂの板面がパレット２の辺に当接するまで上記貫通孔に挿通し、この状態をねじ締結などで固定する。
このようにすることで、外形規制板４ｂはパレット２を囲む枠体の一側面となり、梁状部材４ａの上下方向の動きが係止されて、パレット２を囲む枠体の外形が平面形状に規制される。
【００２１】
また、実施の形態１に係る搬送用治具１では、保持ブロック３ａがパレット２の辺の周縁部を保持しており、外形規制板４ｂがパレット２の辺に当接するように固定されることから、図１（ａ）に示すようにパレット２の上面側に下面側が露出しない。これにより、噴流はんだが基板の実装面側に侵入することを防止でき、“はんだかぶり”の発生を低減することができる。
【００２２】
搬送用治具１の組み立ては、まず、パレット２を傾斜させる方向に応じて、保持ブロック３ａの保持溝３ａ−１〜３ａ−３のいずれかにパレット２の左右辺の周縁部をそれぞれ嵌合させる。次に、パレット２の対向する各辺の保持ブロック３ａを梁状部材４ａで連結した後に、外形規制板４ｂを梁状部材４ａの各端部に取り付けて固定することにより、搬送用治具１が組み立てられる。
このように、搬送用治具１においては、パレット２を保持する構成と、パレット２を囲む枠体の形状を規定する構成とが別体である。これにより、保持ブロック３ａおよび梁状部材４ａといったパレット２を保持する構成は、パレット２のサイズによらず使用可能であり、搬送用治具１の小型化が可能である。また、パレット２のサイズに応じた外形規制板４ｂを用いれば、様々なサイズの搬送用治具１を実現することができる。
【００２３】
図３は、実施の形態１に係る搬送用治具における基板の傾斜態様を示す図であり、基板を取り付けたパレット２の傾斜態様を示すために搬送用治具１の記載を省略している。
全ての保持ブロック３ａで同じ保持溝にパレット２を取り付けた場合は、図３（ａ）に示すように、パレット２が水平になりその態様で噴流はんだ６に搬送される。この場合、パレット２を保持させる保持溝によってパレット２の高さ方向（Ｚ軸方向）の位置を変更することができる。すなわち、保持溝３ａ−１で保持した場合、パレット２は、最も高い位置（噴流はんだ６から最も離間した位置）で搬送される。また、保持溝３ａ−３で保持した場合は、パレット２は、最も低い位置（噴流はんだ６から最も接近した位置）で搬送される。
【００２４】
また、パレット２の前方と後方（Ｙ軸方向）とで高さ位置が異なる保持溝に保持させれば、図３（ｂ）に示すように、パレット２を前後方向（ｂ方向）に傾斜させることができる。すなわち、従来と同様に、搬送方向にピールバックの角度調整が可能である。
【００２５】
さらに、実施の形態１に係る搬送用治具１では、パレット２の左右（Ｘ軸方向）で高さが異なる保持溝に保持させれば、図３（ｃ）に示すように、パレット２を左右方向（ｃ方向）に傾斜させることができる。このように、搬送用治具１は、特許文献１に開示される技術では実現できなかった搬送方向に垂直な方向におけるピールバックの角度調整が可能であり、搬送方向に垂直な方向にピールバックポイントをずらすことができる。これにより、フローはんだ付けにおけるはんだ付け性を向上させることができる。
【００２６】
さらに、パレット２の同じ辺側に並んだ保持ブロック３ａで高さ位置が異なる保持溝に保持させることにより、図３（ｄ）に示すように、パレット２をねじれ方向（ｄ方向）に傾斜させることができる。このように、搬送用治具１は、従来の技術では実現できなかった様々な方向におけるピールバックの角度調整が可能であり、様々な方向でピールバックポイントをずらすことができる。従って、フローはんだ付けにおけるはんだ付け性を向上させることができる。
【００２７】
以上のように、この実施の形態１によれば、パレット２の対向する各辺に沿って並んで配置されてパレット２の辺の周縁部をそれぞれ保持する保持ブロック３ａ，３ａと、パレット２の対向する辺ごとに保持ブロック３ａを連結する梁状部材４ａ，４ａと、対向する梁状部材４ａ，４ａの各端部を連結してパレット２を囲む枠体の外形を平面形状に規制する外形規制板４ｂ，４ｂとを備え、保持ブロック３ａ，３ａが、パレット２の基板面に垂直な方向に並んで形成され、それぞれにパレット２の辺の周縁部が嵌合されて当該パレット２を保持することができる保持溝３ａ−１〜３ａ−３と、保持溝３ａ−１〜３ａ−３とは反対側に突設された搬送帯取り付け用の突出部３ａ−４とを備える。
このように、実施の形態１に係る搬送用治具１は、保持ブロック３ａと梁状部材４ａと外形規制板４ｂを用いた簡易な構造であり、パレット２の辺の周縁部を嵌合可能な保持溝３ａ−１〜３ａ−３でパレット２を保持するので、市販されている一般的なパレットを使用することができる。
また、前後左右の保持ブロック３ａにおいて、保持溝３ａ−１〜３ａ−３のうち、パレット２を保持させる保護溝を変えることで、パレット２、すなわちパレット２に取り付けられた基板が様々な方向に傾斜する。これにより、リード端子のピールバックポイントをずらすことが可能であるので、フローはんだ付けにおけるはんだ付け性を向上させることができる。
【００２８】
また、この実施の形態１によれば、保持溝３ａ−１〜３ａ−３が、溝開口から溝底部に向けて徐々に広がった形状である。このように構成することで、パレット２の辺の周縁部を溝開口で的確に保持することができる。また、パレット２を傾斜させたときに生じた応力でパレット２の辺の周縁部が溝開口からずれた位置で溝底部に当接し、この応力を緩和させることが可能である。
【００２９】
なお、本発明はその発明の範囲内において、実施の形態の任意の構成要素の変形、もしくは実施の形態の任意の構成要素の省略が可能である。
【符号の説明】
【００３０】
１  搬送用治具、２  パレット、３ａ  保持ブロック、３ａ−１〜３ａ−３  保持溝、３ａ−４  突出部、３ａ−５  ねじ穴、４ａ  梁状部材、４ｂ  外形規制板、５  コンベア、６  噴流はんだ。
【図１】
2015037093.tif 000003
【図２】
2015037093.tif 000004
【図３】
2015037093.tif 000005